(57)【要約】【課題】現像ドクタをネジ締めでケーシングに取り付ける際の現像ドクタの移動を抑制することが可能な現像装置及びこれを使用した画像形成装置を提供することを目的とする。【解決手段】ケーシング２と当接する現像ドクタ１の裏面全面に、サンドブラスト処理等によって断面楔状の粗面１１を形成したものである。このように、現像ドクタ１の裏面に断面楔状の粗面１１を形成し、この粗面１１とケーシング２の当接部１２とがネジ締めによって当接することによって、現像ドクタ１を移動させる力Ａ及びＢが生じてもこの力に対抗する大きな摩擦力が現像ドクタ１とケーシング２の当接部１２との間に生じ、現像ドクタ１の位置ずれを適切に抑制することができる。【選択図】図６
2008040357.tif 000002
【特許請求の範囲】
【請求項１】
ケーシング部材に取り付けられた現像ローラと、搬送スクリューを備えて前記現像ローラにトナーを供給するトナー補給ローラと、前記ケーシング部材にネジ締結によって取り付けられ、前記現像ローラが感光体に供給するトナー量を規制するドクターギャップを前記現像ローラとの間に有する現像ドクタと、を備えた現像装置において、
前記現像ドクタの前記ケーシング部材との当接面または前記ケーシング部材の現像ドクタとの当接面に、断面楔状の粗面を形成したことを特徴とする現像装置。
【請求項２】
請求項１記載の現像装置において、
前記断面楔状の粗面は、サンドブラスト処理によって形成されていることを特徴とする現像装置。
【請求項３】
請求項１または２記載の現像装置において、
前記断面楔状の粗面は、刻みＶ字溝加工によって形成されていることを特徴とする現像装置。
【請求項４】
請求項１乃至３の何れか一項記載の現像装置において、
前記断面楔状の粗面は、２〜４０μｍの表面粗さを有していることを特徴とする現像装置。
【請求項５】
請求項１乃至４の何れか一項記載の現像装置を備えたことを特徴とする画像形成装置。
【発明の詳細な説明】
【技術分野】
【０００１】
本発明は、現像装置及びこれを使用した画像形成装置に係り、特に、現像ドクタの位置ずれを抑制することの可能な現像装置及びこれを使用した画像形成装置に関する。
【背景技術】
【０００２】
電子写真プリンタや複写機等の画像形成装置においては、感光体の周囲に現像装置を取り付け、この現像装置から印刷用のトナーを感光体に供給し、感光体上に形成された静電潜像にトナーを静電的に付着させて現像画像を形成し、この現像画像を感光体から転写紙に転写させ、現像画像が転写された転写紙に加熱加圧処理を施して現像画像の定着処理を行って転写紙に所望の画像を印刷することが行われている。
【０００３】
この際、現像装置は、一般的に、感光体に近接して配置される現像ローラから感光体に供給されるトナー量を規制する現像ドクタが、現像ローラから所定のギャップ、いわゆるドクターギャップを有して、トナーを収納するケーシング(ケーシング部材)に取り付けられている構造が採用されている。この場合に、適切な印刷特性を付与するために、前記ドクターギャップは厳密に調整されて現像ドクタを取り付ける必要があり、そのため、所定厚みのシート部材からなるゲージを現像ローラと現像ドクタとの間に挟む等してギャップ間隔を調整しながら所定のドクターギャップを形成する必要から、現像ドクタは、ネジを使用して、ケーシングにネジ締めされて取り付けられている（例えば、特許文献１参照）。
【特許文献１】特許第３２５５６９５号
【発明の開示】
【発明が解決しようとする課題】
【０００４】
しかしながら、上記のように、現像ドクタをネジ締めでケーシングに取り付ける際に、ネジの回転力によって現像ドクタが移動して精度良くドクターギャップを維持して取り付けることができないという問題がある。
本発明は、上記実情を考慮してなされたものであり、現像ドクタをネジ締めでケーシングに取り付ける際の現像ドクタの移動を抑制することが可能な現像装置及びこれを使用した画像形成装置を提供することを目的とする。
【課題を解決するための手段】
【０００５】
上記課題を解決するために、請求項１に記載の発明は、ケーシング部材に取り付けられた現像ローラと、搬送スクリューを備えて前記現像ローラにトナーを供給するトナー補給ローラと、前記ケーシング部材にネジ締結によって取り付けられ、前記現像ローラが感光体に供給するトナー量を規制するドクターギャップを前記現像ローラとの間に有する現像ドクタと、を備えた現像装置において、前記現像ドクタの前記ケーシング部材との当接面または前記ケーシング部材の現像ドクタとの当接面に、断面楔状の粗面を形成したことを特徴とする。
【０００６】
また、請求項２の発明は、請求項１記載の現像装置において、前記断面楔状の粗面は、サンドブラスト処理によって形成されていることを特徴とする。
また、請求項３の発明は、請求項１または２記載の現像装置において、前記断面楔状の粗面は、刻みＶ字溝加工によって形成されていることを特徴とする。
また、請求項４の発明は、請求項１乃至３の何れか一項記載の現像装置において、前記断面楔状の粗面は、２〜４０μｍの表面粗さを有していることを特徴とする。
また、請求項５の発明は、請求項１乃至４の何れか一項記載の現像装置を備えたことを特徴とする画像形成装置としたものである。
【発明の効果】
【０００７】
本発明によれば、上記構成を採用することによって、現像ドクタをネジ締めでケーシングに取り付ける際の現像ドクタの移動を抑制することが可能な現像装置及びこれを使用した画像形成装置を提供することが可能となる。
【発明を実施するための最良の形態】
【０００８】
以下、図面を参照して、本発明の実施形態を詳細に説明する。
【実施例１】
【０００９】
図１は、本発明による一実施形態の現像装置の概略構成を示す図である。本実施例による現像装置１０は、図示されない駆動手段によって矢印方向に回転可能にケーシング２に取り付けられた現像ローラ３と、搬送スクリューを備えて現像ローラ３にトナーを供給するトナー補給ローラ４と、現像ローラ３の表面に保持されたトナーを所定厚みとなるように現像ローラ３と所定の間隔、すなわちドクターギャップＤＧを有してケーシング（ケーシング部材）２にネジ５によってネジ締めされた現像ドクタ１を備えている。
この現像装置１０においては、図示されないトナーボトルからトナー補給ローラ４に供給されたトナーが、磁性キャリアと攪拌混合されながらトナー補給ローラ４から磁気的に吸引保持されて現像ローラ３に供給される。現像ローラ３に保持されたトナーは、現像ドクタ１によって所定厚みに規制され、後述する感光体に形成された静電潜像に静電的に転写されて感光体にトナー画像を形成する。
このようにして現像ドクタ１によって現像ローラ３上に所定厚みのトナーが保持されるるが、本実施例においては、この現像ドクタ１の取り付け方法に特徴があり、この特徴について説明する前に、従来の現像ドクタ１の取り付け時の問題点について説明する。
【００１０】
図２は、従来の現像装置の現像ドクタ１と現像ローラ３との関係を示す図で、ケーシング２に取り付けられた現像ローラ３と２本のネジ５で左右をネジ締めされた現像ドクタ１との間には、感光体に供給するトナー量を規制するために、ドクターギャップＤＧが形成されている。このドクターギャップＤＧは、適切な印刷を行うために、厳密なギャップ幅に調整される必要がある。そのため、図３及び図４に示すように、現像ローラ３と現像ドクタ１との間に、所定厚みのシートからなるゲージ６を挟み、このゲージ６の厚みが維持されるように現像ドクタ１の位置を調節して、現像ドクタ１はネジ孔７にネジ５を挿入してケーシング２にネジ締めされている。
この場合、図５に示すように、ネジ５をドライバー８でネジ締めした際に、ネジ５の回転に伴って現像ドクタ１とネジ５との当接部９に矢印Ａ及びＢの方向への力が作用し、この力によって、現像ドクタ１が矢印Ａ及びＢ方向にずれて取り付けられてしまい、精度良くドクターギャップＤＧが形成されない問題が生じていた。
【００１１】
本実施例においては、この現像ドクタ１の位置ズレを抑制するため、ケーシング２と当接する現像ドクタ１の裏面全面に、図６及び図７に示すように、サンドブラスト処理等によって断面楔状の粗面１１を形成したものである。このように、現像ドクタ１の裏面に断面楔状の粗面１１を形成し、この粗面１１とケーシング２の当接部１２とがネジ締めによって当接することによって、前述の現像ドクタ１を移動させる力Ａ及びＢが生じてもこの力に対抗する大きな摩擦力（くさび効果）が現像ドクタ１とケーシング２の当接部１２との間に生じ、現像ドクタ１の位置ずれを適切に抑制することができる。また、ドクターギャップの中央値の狙いを行い易い。
【００１２】
このような現像ドクタ１の位置ずれを抑制する摩擦力を発生させるためには、粗面の形状が断面楔状であることが好ましく、この粗面の表面粗さは、２〜５０μｍ（ピークツウピーク）とするのが好ましい。また、現像ドクタ１としては、ステンレスやアルミニウム等の非磁性金属を使用することができる。
このような粗面１１は、現像ドクタ１の裏面全面に形成する必要はなく、図８に示すように、現像ドクタ１の両端のケーシング２との当接部分のみに形成してもよい。この場合に、図８及び図９に示すように、現像ドクタ１の長手方向に沿った刻みＶ字溝加工１３とした場合には、粗面１１の突起部が鋭角となってより大きな摩擦抵抗を発生させるので好ましい。
【実施例２】
【００１３】
図１０は、本発明による他の実施形態の現像装置において使用されるケーシング２の現像ドクタ１の取り付け部分の構成を示す図である。このケーシング２の現像ドクタ１との当接部１２には、前述の図７のような断面楔状の粗面１４が形成されており、この当接部１２上に現像ドクタ１をネジ締めした際に、この粗面１４と現像ドクタ１の裏面が当接して大きな摩擦力が発生して、ネジ締めによって発生する現像ドクタ１の位置ずれを十分に抑制するようになっている。この場合においても、前記実施例１と同様の表面粗さを有する粗面や、刻みＶ字溝加工を施すことができる。しかし、ケーシング２をプラスチック材で成形によって作製する場合には、当接部１２に、図１１（ａ）、（ｂ）、（ｃ）に示すような梨地模様、シボ模様、幾何学模様の断面楔状の粗面を、ケーシング２の成形時に同時に形成することが可能となり好適である。なお、この場合に、粗面は、ケーシング２の当接部１２にのみ形成し、現像ドクタ１の裏面には、粗面１１を形成しなくても良いが、現像ドクタ１の裏面にも粗面１１を形成した場合には、ケーシング１２の粗面１４と現像ドクタ１の粗面１１とが当接してより大きな摩擦力を発揮させることが可能となるのでより好ましい。
【実施例３】
【００１４】
図１２は、前述の実施例１の現像装置を用いた画像形成装置の概略構成を示す図で、図中、１Ｙ、１Ｃ、１Ｍ、１Ｋは、それぞれイエロー（Ｙ）、シアン（Ｃ）、マゼンタ（Ｍ）、黒（Ｋ）の各色のトナー画像を形成する感光体ドラム、１０Ｙ、１０Ｃ、１０Ｍ、１０Ｋは、前述の実施例１で示した構造を有する各色のトナーを収容する現像装置、１５は帯電装置、１６は、感光体ドラムの表面をクリーニングするクリーニング手段、２５は、感光体ドラム１Ｙ、１Ｃ、１Ｍ、１Ｋに各色に対応するレーザビームＬを照射して静電潜像を形成する露光装置、３１は、ローラ３５に掛け渡され、転写ローラ３２で各色のトナー画像が感光体ドラム１Ｙ、１Ｃ、１Ｍ、１Ｋから転写される無端状の中間転写ベルト、３３は、中間転写ベルト３１をクリーニングするクリーニング手段、３４は、給紙ユニット２０から繰り出しローラ２１によって繰り出される転写紙２２に中間転写ベルト３１からトナー画像を転写する２次転写ローラ、４０は中間転写ベルト３１からトナー画像の転写された転写紙２２のトナー画像を加熱圧着して定着する定着装置、４１はトナー画像が定着された転写紙を排出する排出ローラ、５０は各現像装置にトナーを供給するトナーボトルである。
【００１５】
この画像形成装置は、画像情報に応じて、露光装置２５から照射される各色に対応するレーザビームＬによって感光体ドラム１Ｙ、１Ｃ、１Ｍ、１Ｋ上に静電潜像を形成し、この静電潜像に現像装置１０Ｙ、１０Ｃ、１０Ｍ、１０Ｋから各色のトナーを付着させてトナー画像を形成する。このようにして形成されたトナー画像を中間転写ベルト３１に転写し、しかる後、転写紙２２にトナー画像を転写し、定着装置で定着して印刷が行われる。
この場合に、本実施例における画像形成装置では、各現像装置１０Ｙ、１０Ｃ、１０Ｍ、１０Ｋに、前述の実施例１で示す構造の現像ドクタ１が使用されているので、適切な量のトナーが現像ローラに供給されて感光体ドラム１Ｙ、１Ｃ、１Ｍ、１Ｋの静電潜像をトナーで顕出させるので、適切な濃度のトナー像を形成することができる。
【図面の簡単な説明】
【００１６】
【図１】本発明による実施例１の現像装置の概略構成を示す断面図。
【図２】従来の現像装置の現像ドクタ部分の平面図。
【図３】図２の分解斜視図。
【図４】図３のＸ−Ｘ線上で切断した断面図。
【図５】従来の現像装置の現像ドクタの問題点を説明するための斜視図。
【図６】本発明による実施例１に係る現像装置の現像ドクタの裏面を示す斜視図。
【図７】図６のＹ−Ｙ線上で切断し、一部を切り欠いた断面図。
【図８】本発明による実施例１の他の実施形態を示す現像装置の現像ドクタの裏面を示す斜視図。
【図９】図８のＺ−Ｚ線上で切断し、一部を切り欠いた断面図。
【図１０】本発明による実施例２に係る現像装置の現像ドクタの取り付け部分のケーシングを示す斜視図。
【図１１】図１０のケーシングの現像ドクタとの当接部に形成される粗面の形状を示す図であり、（ａ）は梨地模様、（ｂ）はシボ模様、（ｃ）は幾何学模様を示す図。
【図１２】本発明による実施例３の画像形成装置の概略構成を示す断面図。
【符号の説明】
【００１７】
１  現像ドクタ
２  ケーシング
３  現像ローラ
４  トナー補給ローラ
５  ネジ
６  ゲージ
７  ネジ孔
８  ドライバー
９  当接部
１０、１０Ｙ、１０Ｃ、１０Ｍ、１０Ｋ  現像装置
１１、１４  断面楔状粗面
１３  刻みＶ字溝加工
２０  給紙ユニット
２２  転写紙
２５  露光装置
３１  中間転写ベルト
４０  定着装置
【図１】
2008040357.tif 000003
【図２】
2008040357.tif 000004
【図３】
2008040357.tif 000005
【図４】
2008040357.tif 000006
【図５】
2008040357.tif 000007
【図６】
2008040357.tif 000008
【図７】
2008040357.tif 000009
【図８】
2008040357.tif 000010
【図９】
2008040357.tif 000011
【図１０】
2008040357.tif 000012
【図１２】
2008040357.tif 000013
【図１１】
2008040357.tif 000014